(57)【要約】【課題】ターボファンとファン用モータとを備え、床置形空気調和装置に設けたターボファンユニットにおける複数の空気吹出口から設置場所の要求に合致した空気吹出口を使用できるようにした技術である。【解決手段】ターボファン及びファンモータをユニットケーシングに内蔵したターボファンユニットを形成し、ユニットケーシングは、上面パネルと底面パネルの一方と、正面パネルと背面パネルの一方又は両方とに、それぞれ空気吹出口を形成するとともに、各空気吹出口を塞ぐ蓋をそれぞれ着脱可能に設けて、複数の空気吹出口のうちの一つを選択して開口可能とし、ターボファンユニットを本体ケーシング内の上方部又は下方部に固定したから、吹出ダクトやプレナムチャンバーが不要な簡単な構造であり、かつ、空気吹出口の蓋の着脱という簡単な現地作業により空気吹出方向の選択及び変更を行うことができるのである。【選択図】図３
2014119126.tif 000002
【特許請求の範囲】
【請求項１】
空気吸込口と、空気吹出口と、熱交換器と、駆動軸を水平にしたターボファンと、ファンモータと、本体ケーシングとを備えた床置形空気調和装置であって、
前記ターボファン及び前記ファンモータを直方体状のユニットケーシングに内蔵したターボファンユニットを形成し、
前記ユニットケーシングは、前記駆動軸に直交し空気流入口を形成した第一側面パネルと、前記第一側面パネルと対向する第二側面パネルと、上面パネルと、底面パネルと、正面パネルと、背面パネルとを備え、前記上面パネルと前記底面パネルの一方と、前記正面パネルと前記背面パネルの一方又は両方とに、それぞれ前記空気吹出口を形成するとともに、各前記空気吹出口を塞ぐ蓋をそれぞれ着脱可能に設けて、複数の前記空気吹出口のうちの一つを選択して開口可能とし、
前記ターボファンユニットは、前記正面パネルと前記背面パネルとで形成される奥行を、前記本体ケーシングの奥行と略同一寸法とするとともに、前記第一側面パネルと前記第二側面パネルとで形成される横幅を前記本体ケーシングの横幅よりも小さくして、前記本体ケーシング内の上方部又は下方部であって前記第一側面パネル側に空気通路が生ずる位置に固定したことを特徴とする床置形空気調和装置。
【請求項２】
前記ターボファンは、前記ファンモータの駆動軸に直結されていることを特徴とする請求項１に記載の床置形空気調和装置。
【請求項３】
空気吸込口と、空気吹出口と、熱交換器と、駆動軸を水平にした２基のターボファンと、１基の両軸の駆動軸を有するファンモータと、本体ケーシングとを備えた床置形空気調和装置であって、
２基の前記ターボファンを前記ファンモータの両軸の駆動軸に直結して直方体状のユニットケーシングに内蔵したターボファンユニットを形成し、
前記ユニットケーシングは、前記駆動軸に直交し空気流入口をそれぞれ形成した第一側面パネル及び前記第一側面パネルと対向する第二側面パネルと、上面パネルと、底面パネルと、正面パネルと、背面パネルとを備え、前記上面パネルと前記底面パネルの一方と、前記正面パネルと前記背面パネルの一方又は両方とに、それぞれ前記空気吹出口を形成するとともに、各前記空気吹出口を塞ぐ蓋をそれぞれ着脱可能に設けて、複数の前記空気吹出口のうちの一つを選択して開口可能とし、
前記ターボファンユニットは、前記正面パネルと前記背面パネルとで形成される奥行を、前記本体ケーシングの奥行と略同一寸法とするとともに、前記第一側面パネルと前記第二側面パネルとで形成される横幅を前記本体ケーシングの横幅よりも小さくして、前記本体ケーシング内の上方部又は下方部であって前記第一側面パネル側と前記第二側面パネル側とに空気通路がそれぞれ生ずる位置に固定したことを特徴とする床置形空気調和装置。
【請求項４】
フリーアクセスフロアに設置する床置形空気調和装置であって、
前記ユニットケーシングは、前記底面パネルと、前記正面パネルと前記背面パネルの一方又は両方とに、それぞれ前記空気吹出口を形成するとともに、各前記空気吹出口を塞ぐ蓋をそれぞれ着脱可能に設けて、複数の前記空気吹出口のうちの一つを選択して開口可能とし、
前記ターボファンユニットは、前記本体ケーシング内の下方部に固定したことを特徴とする請求項１〜３のいずれかに記載の床置形空気調和装置。
【請求項５】
前記ユニットケーシングは、前記上面パネルと、前記正面パネルと前記背面パネルの一方又は両方とに、それぞれ前記空気吹出口を形成するとともに、各前記空気吹出口を塞ぐ蓋をそれぞれ着脱可能に設けて、複数の前記空気吹出口のうちの一つを選択して開口可能とし、
前記ターボファンユニットは、前記本体ケーシング内の上方部に固定したことを特徴とする請求項１〜４のいずれかに記載の床置形空気調和装置。
【請求項６】
前記本体ケーシングの外装パネルの一部は、前記ユニットケーシングにおける前記上面パネル又は前記底面パネルと、前記正面パネルと、前記背面パネルとを兼用していることを特徴とする請求項１〜５のいずれかに記載の床置形空気調和装置。
【発明の詳細な説明】
【技術分野】
【０００１】
本発明は、床置形空気調和装置に係り、ターボファンとファンモータとを備え、床置形空気調和装置に設けたターボファンユニットにおける複数の空気吹出口から設置場所の要求に合致した空気吹出口を使用できるようにした技術である。
【背景技術】
【０００２】
従来、例えば、電子計算機室に設置する床置形空気調和装置として、複数の空気吹出口から設置場所の要求に合致した空気吹出口を使用できるようにしたものが知られている（例えば、特許文献１参照）。
特許文献１に記載の従来の技術は、シロッコファンにより送風される空気を一方向に導く伸縮自在な送風ダクトを備えるとともに回転自在なファンケーシングを備えることで、前記送風ダクトを、底面パネル、正面パネル及び背面パネルのそれぞれに設けた空気吹出口のいずれか一つに連通させることができるようにして設置場所の要求に合致した空気吹出口を使用できるようにしたものである。
【先行技術文献】
【特許文献】
【０００３】
【特許文献１】特開２０１２―１６３２７４号公報
【発明の概要】
【発明が解決しようとする課題】
【０００４】
特許文献１に記載された従来の技術は、シロッコファンのファンケーシングを回転自在な構造とするとともに、送風ダクトを伸縮自在な構造にする必要があり、構造が複雑であるという課題があった。
また、設置場所の要求に合致した空気吹出方向の空気吹出口を選択したり、設置場所の状況変化により空気吹出方向を変更したりする場合、前記ファンケーシングの回転作業及び前記送風ダクトの空気吹出口への連通作業が煩雑となるという課題があった。
【０００５】
本発明は、特許文献１に記載の従来の床置形空気調和装置における課題を解決して、構造が簡単で、空気吹出方向の選択及び変更の作業を簡単に行えるようにすることを目的としている。
【課題を解決するための手段】
【０００６】
本発明の床置形空気調和装置は、空気吸込口と、空気吹出口と、熱交換器と、駆動軸を水平にしたターボファンと、ファンモータと、本体ケーシングとを備えた床置形空気調和装置であって、ターボファン及びファンモータを直方体状のユニットケーシングに内蔵したターボファンユニットを形成し、ユニットケーシングは、駆動軸に直交し空気流入口を形成した第一側面パネルと、第一側面パネルと対向する第二側面パネルと、上面パネルと、底面パネルと、正面パネルと、背面パネルとを備え、上面パネルと底面パネルの一方と、正面パネルと背面パネルの一方又は両方とに、それぞれ空気吹出口を形成するとともに、各空気吹出口を塞ぐ蓋をそれぞれ着脱可能に設けて、複数の空気吹出口のうちの一つを選択して開口可能とし、ターボファンユニットは、正面パネルと背面パネルとで形成される奥行を、本体ケーシングの奥行と略同一寸法とするとともに、第一側面パネルと第二側面パネルとで形成される横幅を本体ケーシングの横幅よりも小さくして、本体ケーシング内の上方部又は下方部であって第一側面パネル側に空気通路が生ずる位置に固定したものである。
【発明の効果】
【０００７】
本発明の床置形空気調和装置は、ターボファン及びファンモータを直方体状のユニットケーシングに内蔵したターボファンユニットを形成し、ユニットケーシングは、上面パネルと底面パネルの一方と、正面パネルと背面パネルの一方又は両方とに、それぞれ空気吹出口を形成するとともに、各空気吹出口を塞ぐ蓋をそれぞれ着脱可能に設けて、複数の空気吹出口のうちの一つを選択して開口可能とし、ターボファンユニットは、正面パネルと背面パネルとで形成される奥行を、本体ケーシングの奥行と略同一寸法とするとともに、第一側面パネルと第二側面パネルとで形成される横幅を本体ケーシングの横幅よりも小さくして、本体ケーシング内の上方部又は下方部であって第一側面パネル側に空気通路が生ずる位置に固定したから、ターボファンユニットを構成すればよいので吹出ダクトやプレナムチャンバーが不要な簡単な構造であり、空気吹出口の蓋の着脱という簡単な現地作業により空気吹出方向の選択及び変更を行うことができるのである。
また、ターボファンユニットの空気吹出口はターボファンから同じ条件で配置しており、いずれの空気吹出口を使用しても風量、圧力の送風性能に差異が生ずることがない。
【図面の簡単な説明】
【０００８】
【図１】本発明の実施の形態１に係る床置形空気調和装置を示す概略断面説明図であり、（ａ）は底面吹出、（ｂ）は正面吹出である。
【図２】図１の下方部を示す斜視説明図である。
【図３】本発明の実施の形態１及び２に係る床置形空気調和装置に用いるターボファンユニットを示す斜視図である。
【図４】図３の分解斜視図である。
【図５】図３のターボファンユニットの空気吹出方向の変更を示す説明図であり、（ａ）は正面吹出、（ｂ）は上面吹出、（ｃ）は背面吹出、（ｄ）は底面吹出である。
【図６】本発明の実施の形態２に係る床置形空気調和装置を示す概略断面説明図であり、（ａ）は上面吹出、（ｂ）は正面吹出である。
【図７】図６の上方部を示す斜視説明図である。
【図８】本発明の実施の形態３に係る床置形空気調和装置に用いるターボファンユニットを示す説明図ある。
【図９】本発明の実施の形態１に係る床置形空気調和装置の変形例１を示す概略断面説明図である。
【図１０】本発明の実施の形態１に係る床置形空気調和装置の変形例２を示す概略断面説明図である。
【発明を実施するための形態】
【０００９】
実施の形態１．
本発明の実施の形態１を図１〜図５に基づいて説明する。
実施の形態１は、電子計算機室等のフリーアクセスフロアに設置する床置形空気調和装置に係るものであり、図１は床置形空気調和装置を示す概略断面説明図であり、（ａ）は底面吹出、（ｂ）は正面吹出、図２は図１の下方部を示す斜視説明図、図３はターボファンユニットを示す斜視図、図４は図３の分解斜視図、図５は図３のターボファンユニットの空気吹出方向の変更を示す説明図であり、（ａ）は正面吹出、（ｂ）は上面吹出、（ｃ）は背面吹出、（ｄ）は底面吹出である。
【００１０】
図１において、１は、電子計算機室等のフリーアクセスフロア１１に設置する床置形空気調和装置であり、空気吸込口１２と、空気吹出口２と、Ｖ字状の熱交換器１３と、ドレンパン１４と、駆動軸３１ａを水平にしたターボファン３と、本体ケーシング１５とを備えている。
図１（ａ）はフリーアクセスフロア内に空気を吹出す底面吹出であり正面吹出を行わない場合、図１（ｂ）は正面吹出であり底面吹出を行わない場合である。
【００１１】
前記ターボファン３は、図２に示すように、前記床置形空気調和装置１の前記本体ケーシング１５内の下方部に固定しており、ターボファンユニット４のユニットケーシング５にファンモータ３１とともにその駆動軸３１ａに直結して内蔵している。
前記ユニットケーシング５は、図３及び図４に示すように、前記駆動軸３１ａに直交し空気流入口５１を形成した第一側面パネル５２と、前記第一側面パネル５２と対向する第二側面パネル５３と、上面パネル５４と、底面パネル５５と、正面パネル５６と、背面パネル５７とを備え、各パネルを取付フレーム５８に気密に固定し、さらに、前記側面パネル５２及び前記第二側面パネル５３を正方形として直方体状としている。
【００１２】
さらに、前記ユニットケーシング５には、前記底面パネル５５と、前記正面パネル５６と前記背面パネル５７の一方又は両方とに、それぞれ前記空気吹出口２を形成するとともに、各前記空気吹出口２を塞ぐ蓋２１をそれぞれ着脱可能に設けて、複数の前記空気吹出口２のうちの一つを選択して開口可能としている。
なお、図３及び図４では、前記正面パネル５６に形成した前記空気吹出口２を選択した正面吹出としており、前記正面パネル５６の空気吹出口２を塞ぐ蓋２１の図示を省略している。
【００１３】
また、前記ターボファンユニット４は、前記正面パネル５６と前記背面パネル５７とで形成される奥行を、前記本体ケーシング１５の奥行と略同一寸法とするとともに、前記第一側面パネル５２と前記第二側面パネル５３とで形成される横幅を前記本体ケーシング１５の横幅よりも小さくして、図２に示すように、前記本体ケーシング１５内の下方部であって前記第一側面パネル５２側に空気通路１６が生ずる位置に固定している。
そして、前記床置形空気調和装置１の上面に設けた前記空気吸込口１２から吸込んだ室内空気を前記熱交換器１３で熱交換し、前記空気通路１６を流通して前記第一側面パネル５２の前記空気流入口５１から前記ターボファンユニット４に設けた前記ターボファン３１に吸込まれて前記空気吹出口２から吹出すようにしている。
【００１４】
前記第一側面パネル５２の前記空気流入口５１には、ベルマウス状の空気流入リング５１ａを設けており、前記空気流入リング５１ａは、図４の右下に示すように、前記第一側面パネル５２と別体に形成して、前記第一側面パネル５２の前記空気流入口５１に固定してもよく、図４の右上に示すように、前記第一側面パネル５２と一体に形成してもよい。
なお、図３及び図４において、前記ユニットケーシング５の前記上面パネル５４にも前記空気吹出口２と、それを塞ぐ蓋２１とを形成しているが、これらは後記する実施の形態２に用いるものであるが、併せて図示したものであり、また、３２はファンモータ台、５９は固定フランジである。
【００１５】
前記ターボファンユニット４の前記ユニットケーシング５に形成した前記空気吹出口２について、後記する実施の形態２を含めて、図５により説明する。
図５において、（ａ）は正面吹出、（ｂ）は上面吹出、（ｃ）は背面吹出、（ｄ）は底面吹出を示しており、実施の形態１では、図２に示すように、前記ターボファンユニット４を前記本体ケーシング１５内の下方部に固定しているため、（ｂ）の上面吹出とすることはなく、（ｄ）の底面吹出、（ａ）の正面吹出及び（ｃ）の背面吹出の３方向吹出変更可能とするか、（ｄ）の底面吹出と、（ａ）の正面吹出と（ｃ）の背面吹出の一方との２方向吹出変更可能とするのである。
【００１６】
また、後記する実施の形態２では、図７に示すように、前記ターボファンユニット４を前記本体ケーシング１５内の上方部に固定しているため、前記空気吹出口２は、（ｄ）の下面吹出とすることはなく、（ｂ）の上面吹出、（ａ）の正面吹出及び（ｃ）の背面吹出の３方向吹出変更可能とするか、（ｂ）の上面吹出と、（ａ）の正面吹出と（ｃ）の背面吹出の一方との２方向吹出変更可能とするのである。
そして、前記ターボファンユニット４の前記空気吹出口２は前記ターボファン３から同じ条件で配置しており、いずれの空気吹出口２を使用しても風量、圧力の送風性能に差異が生ずることがないのである。
【００１７】
以上説明したように、実施の形態１では、ターボファンユニット４を構成すればよいので吹出ダクトやプレナムチャンバーが不要な簡単な構造であり、空気吹出口２の蓋２１の着脱という簡単な現地作業により、風量、圧力の送風性能に差異が生ずることなく空気吹出方向の選択及び変更を行うことができるのである。
【００１８】
実施の形態２．
次に、本発明の実施の形態２を図６及び図７に基づいて説明する。
実施の形態２は室内の通常の床に設置する床置形空気調和装置に係るものであり、図６は床置形空気調和装置を示す概略断面説明図であり、（ａ）は上面吹出、（ｂ）は正面吹出、図７は図６の上方部を示す斜視説明図である。
【００１９】
この実施の形態２は、実施の形態１におけるフリーアクセスフロア１１への設置形態から通常の床への設置形態に変えたものであり、図６に示すように、図１に示す実施の形態１におけるターボファンユニット４を床置形空気調和装置１の下方部から上方部に変えた点と、空気吹出口２を底面吹出から上面吹出に変えた点とが相違する点である。
【００２０】
以下、実施の形態１と同様な構成については、同一の符号を付して説明を省略ないし簡略にし、実施の形態１と相違する構成について詳細に説明する。
図６において、床置形空気調和装置１ａは、通常の床１１ａに設置しており、空気吸込口１２ａと、空気吹出口２と、Ｖ字状の熱交換器１３と、ドレンパン１４と、駆動軸３１ａを水平にしたターボファン３と、本体ケーシング１５ａとを備えている。
【００２１】
図６（ａ）は上面吹出であり正面吹出を行わない場合、図６（ｂ）は正面吹出であり上面吹出を行わない場合である。
前記ターボファン３は、図７に示すように、前記床置形空気調和装置１ａの前記本体ケーシング１５ａ内の上方部に固定しており、ターボファンユニット４のユニットケーシング５にファンモータ３１とともにその駆動軸３１ａに直結して内蔵している。
【００２２】
前記ユニットケーシング５及び前記ターボファンユニット４は、実施の形態１において図３及び図４で説明したとおりである。
そして、実施の形態２では、前記ユニットケーシング５には、前記上面パネル５４と、前記正面パネル５６と前記背面パネル５７の一方又は両方とに、それぞれ前記空気吹出口２を形成するとともに、各前記空気吹出口２を塞ぐ蓋２１をそれぞれ着脱可能に設けて、複数の前記空気吹出口２のうちの一つを選択して開口可能としている。
【００２３】
また、前記ターボファンユニット４は、実施の形態１と同様に、前記正面パネル５６と前記背面パネル５７とで形成される奥行を、前記本体ケーシング１５ａの奥行と略同一寸法とするとともに、前記第一側面パネル５２と前記第二側面パネル５３とで形成される横幅を前記本体ケーシング１５ａの横幅よりも小さくして、前記本体ケーシング１５ａ内の上方部であって前記第一側面パネル５２側に空気通路１６が生ずる位置に固定している。
前記ターボファンユニット４を前記本体ケーシング１５ａ内の上方部に固定しているため、前記空気吹出口２は、図５において、（ｄ）の下面吹出とすることはなく、（ｂ）の上面吹出、（ａ）の正面吹出及び（ｃ）の背面吹出の３方向吹出変更可能とするか、（ｂ）の上面吹出と、（ａ）の正面吹出と（ｃ）の背面吹出の一方との２方向吹出変更可能とするのである。
【００２４】
前記ターボファンユニット４の前記空気吹出口２は前記ターボファン３から同じ条件で配置しており、いずれの空気吹出口２を使用しても風量、圧力の送風性能に差異が生ずることがないのである。
以上説明したように、実施の形態２では、実施の形態１と同様に、ターボファンユニット４を構成すればよいので吹出ダクトやプレナムチャンバーが不要な簡単な構造であり、空気吹出口２の蓋２１の着脱という簡単な現地作業により、風量、圧力の送風性能に差異が生ずることなく空気吹出方向の選択及び変更を行うことができるのである。
【００２５】
実施の形態３．
次に、本発明の実施の形態３を図８に基づいて説明する。
実施の形態３は、実施の形態１及び実施の形態２では、ターボファンユニット４に１基のターボファン３と１基の片軸の駆動軸３１ａを有するファンモータ３１とを内蔵していたことに変えて、ターボファンユニットに２基のターボファンと１基の両軸の駆動軸を有するファンモータとを内蔵するようにしたものであり、図８は床置形空気調和装置に用いるターボファンユニットを示す説明図である。
【００２６】
以下、実施の形態１又は実施の形態２と同様な構成については、同一の符号を付して説明を省略ないし簡略にし、実施の形態１又は実施の形態２と相違する構成について詳細に説明する。
図８において、ターボファンユニット４ａは２基のターボファン３を１基の両軸の駆動軸３１ｂを有するファンモータ３１の両軸の前記駆動軸３１ｂに直結して直方体状のユニットケーシング５ａに内蔵している。
【００２７】
前記ユニットケーシング５ａは、一部図示を省略しているが、前記駆動軸３１ｂに直交し空気流入口５１ａをそれぞれ形成した第一側面パネル５２ａ及び前記第一側面パネル５２ａと対向する第二側面パネル５３ａと、上面パネルと、底面パネルと、正面パネルと、背面パネルとを備えている。
また、前記ユニットケーシング５ａは、図示を省略しているが、実施の形態１と同様にフリーアクセスフロアに設置する床置形空気調和装置に前記ターボファンユニット４ａを用いる場合、前記底面パネルと、前記正面パネルと前記背面パネルの一方又は両方とに、それぞれ空気吹出口を形成するとともに、各前記空気吹出口を塞ぐ蓋をそれぞれ着脱可能に設けて、複数の前記空気吹出口のうちの一つを選択して開口可能とするのである。
【００２８】
さらに、前記ユニットケーシング５ａは、図示を省略しているが、実施の形態２と同様に通常の床に設置する床置形空気調和装置に前記ターボファンユニット４ａを用いる場合、前記上面パネルと、前記正面パネルと前記背面パネルの一方又は両方とに、それぞれ空気吹出口を形成するとともに、各前記空気吹出口を塞ぐ蓋をそれぞれ着脱可能に設けて、複数の前記空気吹出口のうちの一つを選択して開口可能とするのである。
そして、前記ターボファンユニット４ａは、図示を省略しているが、前記正面パネルと前記背面パネルとで形成される奥行を、前記本体ケーシングの奥行と略同一寸法とするとともに、前記第一側面パネル５２ａと前記第二側面パネル５３ａとで形成される横幅を前記本体ケーシングの横幅よりも小さくして、前記本体ケーシング内の上方部又は下方部であって前記第一側面パネル５２ａ側と前記第二側面パネル５３ａ側とに空気通路がそれぞれ生ずる位置に固定するのである。
【００２９】
このように、実施の形態３では、実施の形態１又は実施の形態２と同様に、３方向吹出変更可能とするか、２方向吹出変更可能とできるのであり、前記ターボファンユニット４ａの前記空気吹出口は前記ターボファン３から同じ条件で配置しており、いずれの空気吹出口を使用しても風量、圧力の送風性能に差異が生ずることがないのである。
以上説明したように、実施の形態３では、実施の形態１又は実施の形態２と同様に、ターボファンユニット４ａを構成すればよいので吹出ダクトやプレナムチャンバーが不要な簡単な構造であり、空気吹出口の蓋の着脱という簡単な現地作業により、風量、圧力の送風性能に差異が生ずることなく空気吹出方向の選択及び変更を行うことができるのであり、さらに、２基のターボファン３を１基のファンモータ３１の両軸の駆動軸３１ｂに直結しているので、コンパクトでありながら大風量の送風ができるのである。
【００３０】
実施の形態の変形例１．
以上の実施の形態１では、ユニットケーシング５の正面パネル５６及び背面パネル５７と、本体ケーシング１５の外装パネルとを形成していたが、図９に示すように、本体ケーシング１５の外装パネル１７に空気吹出口２ａを形成して、前記外装パネル１７をユニットケーシング５の正面パネル及び背面パネルと兼用させるようにしたものである。
この変形例１では、外装パネル１７を取外せばターボファンユニット４内のターボファン３、ファンモータ３１が現れ、これらのメンテナンスを容易に行うことができるとともに、部品の削減を図ることができる。
【００３１】
以上の変形例１は、実施の形態１における変形例を説明したが、同様に実施の形態２及び実施の形態３においても同様に本体ケーシング１５の外装パネルをユニットケーシングの５、５ａの正面パネル及び背面パネルと兼用させるようにしてもよい。
さらに、本体ケーシング１５の外装パネルをユニットケーシング５、５ａの底面パネル又は上面パネルと兼用させるようにしてもよい。
【００３２】
実施の形態の変形例２．
この変形例２は、上記変形例１にさらに、空気吹出口にエアルーバー２ｂを設けたものであり、正確な吹出方向の調節や吹出空気の分散ができるのである。
また、この変形例２は、実施の形態２における上面の空気吹出口にエアルーバーを設けるようにすることもできる。
【００３３】
実施の形態のその他の変形例
以上の実施の形態１及び実施の形態２では、ターボファンをファンモータの駆動軸に直結して、ターボファンユニットをコンパクトにしているが、ターボファンの駆動軸とファンモータの駆動軸とにそれぞれプーリを設けてベルト駆動としてもよい。
【符号の説明】
【００３４】
１、１ａ  床置形空気調和装置
２、２ａ  空気吹出口
３  ターボファン
４、４ａ  ターボファンユニット
５、５ａ  ユニットケーシング
１２、１２ａ  空気吸込口
１３  熱交換器
１５、１５ａ  本体ケーシング
１６  空気通路
２１  蓋
３１  ファンモータ
３１ａ、３１ｂ  駆動軸
５１、５１ａ  空気流入口
５２、５２ａ  第一側面パネル
５３、５３ａ  第二側面パネル
５４  上面パネル
５５  底面パネル
５６  正面パネル
５７  背面パネル
【図１】
2014119126.tif 000003
【図２】
2014119126.tif 000004
【図３】
2014119126.tif 000005
【図４】
2014119126.tif 000006
【図５】
2014119126.tif 000007
【図６】
2014119126.tif 000008
【図７】
2014119126.tif 000009
【図８】
2014119126.tif 000010
【図９】
2014119126.tif 000011
【図１０】
2014119126.tif 000012